(57)【特許請求の範囲】
【請求項１】
振動によって音声を発するコーンの前面に光を通す球面状の防塵カバーが固定され、かつ当該防塵カバーの下に発光体が設置され、音の放射面が上向きに配置されたスピーカと、
上部に前記スピーカが取り付けられ、内部に通気口経由で相互に連結された迷路空洞が設けられた迷路筐体と、
前記迷路筐体の最上部であって前記スピーカの上に取り付けられ、光誘導板と分光球で構成された音・光分離装置と、を備え、
前記分光球は前記音・光分離装置の頂上に位置し、かつ前記誘導板および分光球は、前記スピーカから出力された音声のうち中高域の音声を周りに拡散すると共に、前記発光体から放出された光を上に拡散してまぶしさを防ぐことを特徴とする音響照明装置。
【請求項２】
前記防塵カバーの表面は磨りガラス化され、または紋様処理が施されて、前記発光体を直視できない、請求項１に記載の音響照明装置。
【発明の詳細な説明】
【技術分野】
【０００１】
本発明は、照明技術領域に属する一種の音響照明装置に関する。
【背景技術】
【０００２】
電子製品のマルチメディア化の発展に伴い、携帯電話は、通信、ネットワーク、音楽、カメラなどと合体し、多様化したマルチメディア製品が普及した。高効率、長寿命の新しい光源の技術の成熟と応用の広がりが前提条件となって、音声と照明を結合した製品開発が行なわれるようになった。
【発明の概要】
【発明が解決しようとする課題】
【０００３】
本発明の目的は、照明器具に音響装置を付帯する設計において、音響と照明を統合し、装飾並びに内装の便宜を図り、同時にホームシアターの普及および臨場感あふれる音響効果を作り出す条件を創造することにある。
【課題を解決するための手段】
【０００４】
本発明の技術案は、照明を有するスピーカを光源および音源とし、それにふさわしい照明器具の構造を組み合わせて、光学技術と音響技術を融合し、照明の要件、省エネの要件及び音響の要件を１つの製品中で実現して、様々な場所での使用に適合する音響照明器具を提供する。
【０００５】
前記音響照明装置の発光体は、球面状の防塵カバーの下に設置する。防塵カバーは光を透し、かつ密閉されており、スピーカのコーンと共にコーンの前後の空気を遮断し、高音域の音声のショートを防ぐ。防塵カバーの表面は磨りガラス化され、または紋様処理が施され、発光体を直視できない。防塵カバーはコーンに固定されており、スピーカのコイルによって駆動され、スピーカのコーンと一緒に振動し、音声を発する。防塵カバーとスピーカのコーンは、照明付きスピーカの音源でもある。
【０００６】
前記音響照明装置を床据え付け型音響照明器具として用いる場合、照明付きスピーカは上向きに配置され、光は下から上に照射される。床据え付け型音響照明器具の最上部に音・光分離装置を設ける。音・光分離装置は、光誘導板と分光球とで構成されている。分光球は音・光分離装置の頂上に位置する。音・光分離装置を使用すると、中高域の音声は周りに拡散し、光は上へ拡散して、まぶしさを防ぐ。低音を増強するため、床据え付け型音響照明器具の筺体は、設計により音響的な迷路を実現する。
【０００８】
前記音響照明装置の内部に電源変換器、光源駆動器、パワーアンプと各種信号源および処理モジュールを内蔵できる。
【発明の効果】
【０００９】
本発明により設計された音響照明装置は以下のメリットを持つ。
【００１０】
１．音響照明装置は、音声と光の結合を特徴として、従来の音響装置より省スペースで、設置自由度と対応できる使用環境が拡大された。
【００１１】
２．音響照明装置の周囲３６０°に拡散される設計により、サラウンド効果が改善され、並びにサラウンド効果の可聴範囲が拡大された。
【００１２】
３． 音響照明装置は、デジタルサラウンド音響システム普及のハードウェア面での条件を創出した。
【図面の簡単な説明】
【００１３】
【図１】実施の形態１の正面図である。
【００１４】
【図２】実施の形態１の平面図である。
【００１５】
【図３】実施の形態１中の音・光分離装置の断面図である。
【００１６】
【図４】実施の形態１中の音・光分離装置の下面図である。
【００１７】
【図５】実施の形態１中の照明付きスピーカの断面図である。
【００１８】
【図６】実施の形態１中の迷路筺体、底部ボックスとスタンドの断面図である。
【００１９】
【図７】実施の形態１中の迷路筺体のＡ−Ａ断面図である。
【００２０】
【図８】実施の形態１中の迷路筺体の下面図である。
【００２１】
【図９】参考例１の正面図である。
【００２２】
【図１０】参考例１の平面図である。
【００２３】
【図１１】参考例１の断面図である。
【００２４】
【図１２】参考例２の正面図である。
【００２５】
【図１３】参考例２の平面図である。
【００２６】
【図１４】参考例２の断面図である。
【００２７】
【図１５】参考例２中のＡ−Ａ断面図である。
【発明を実施するための形態】
【００２８】
実施の形態１
【００２９】
図１から図８に、本実施の形態にかかる床据え付け型音響照明器具を示す。
【００３０】
本実施の形態にかかる床据え付け型音響照明器具は、音・光分離装置１、照明付きスピーカ５、迷路筺体９、底部ボックス１５およびスタンド１７で構成されている。
【００３１】
本実施の形態の音・光分離装置１は、分光球２および光誘導板３で構成され、光誘導板３は、表面に磨りガラス処理が施され、または膜が貼られている。従って、光が分散され、まぶしさを防ぐ。ねじ４は光誘導板の間隔を決定し、音・光分離装置を迷路筺体９に固定する。分光球２と光誘導板３は中高域の音声を周りに拡散させる。
【００３２】
本実施の形態の照明付きスピーカ５の光る面を上向きに設置する。照明付きスピーカ５の中の発光体６を、光を透しかつ密閉された球面状の防塵カバー７の下に配置する。球面状の防塵カバー７はコーン８に固定され、コーン８と一緒に振動する。球面状の防塵カバー７とコーン８が照明付きスピーカの音源である。
【００３３】
本実施の形態の迷路筺体９の内部断面を5等分し、５つの迷路空洞ができる。それぞれの迷路空洞は通気口１１経由で相互に連結される。迷路上カバー１２の中央の通気口１１は、照明付きスピーカのコーンの裏面から発した低音の入り口になる。迷路上カバー１２と筺体板１０の間の空間に照明付きスピーカ５と吸音材１３を配置する。吸音材１３はコーンの裏面の定常波を軽減する。迷路底板１４にある通気口１１は迷路経路の出口で、低音の音波を底部ボックス１５に流す。
【００３４】
本実施の形態の底部ボックス１５の側面に複数の穴１６を設ける。穴の面積の合計はおよそ迷路通気口の面積と同等である。穴１６は低音の出口であると同時に、虫や異物が筐体に入るのを防ぐ。
【００３５】
本実施の形態のスタンド１７は、結合ねじ１８を使って、底部ボックス１５および迷路筺体９と、三者が一体となって連結される。振動防止のため、スタンド１７にはゴム足１９を設ける。
【００３６】
参考例１
【００３７】
図９から図１２に、本参考例に係る天井据え付け型音響照明器具を示す。
【００３８】
本参考例に係る天井据え付け型音響照明器具は、照明付きスピーカ５と天井据え付け照明器具２０で構成されている。
【００３９】
本参考例の照明付きスピーカ５は下向きに設置する。前面には障害物が一切なく、光は球面状の防塵カバー７から周囲に拡散される。球面状の防塵カバー７の表面は磨りガラス化され、または紋様処理が施され、発光体を直視できない。音声は球面状の防塵カバー７とコーン８から周囲に拡散される。天井据え付け照明器具の後部に通気孔１１を設け、照明付きスピーカコーン８の裏面の音波は、天井据え付け照明器具２１の設置スペースの空間を貫通して、大きな遮断板の役割を果たし、天井取り付け型音響照明器具の低音効果を改善する。
【００４０】
参考例２
【００４１】
図９から図１２に、本参考例に係る天井据え付け型音響照明器具を示す。
【００４２】
本参考例に係る天井据え付け型音響照明器具は、照明付きスピーカ５と天井据え付け照明器具２１とで構成される。
【００４３】
本参考例の照明付きスピーカ5は下向きに設置する。前面には障害物が一切なく、光は球面状の防塵カバー７から周囲に拡散される。球面状の防塵カバー７の表面は磨りガラス化され、または紋様処理が施され、発光体を直視できない。音声は球面状の防塵カバー７とコーン８から周囲に拡散される。天井据え付け照明器具の後ろに通気孔１１を設け、照明付きスピーカコーン８の裏面の音波は、天井据え付け照明器具２１の設置スペースの空間を貫通して、大きな遮断板の役割を果たし、天井取り付け型音響照明器具の低音効果を改善する。
【００４４】
本参考例の天井据え付け照明器具２１の上部に、電源ユニットと光源駆動ユニット２２を設置し、中間部にパワーアンプとワイヤレス受信モジュール２３を設置する。天井据え付け照明器具は単独でアクティブ音源になる。複数個を使用して室内の天井に簡単に設置でき、理想的なホームシアター環境を実現できると同時に省エネの照明も実現できる。
【図１】
0006051297.tif 000002
【図２】
0006051297.tif 000003
【図３】
0006051297.tif 000004
【図４】
0006051297.tif 000005
【図５】
0006051297.tif 000006
【図６】
0006051297.tif 000007
【図８】
0006051297.tif 000008
【図９】
0006051297.tif 000009
【図１０】
0006051297.tif 000010
【図１１】
0006051297.tif 000011
【図１２】
0006051297.tif 000012
【図１３】
0006051297.tif 000013
【図１４】
0006051297.tif 000014
【図７】
0006051297.tif 000015
【図１５】
0006051297.tif 000016